(57)【要約】【課題】車体に立設された遮音体に反射又は回折して車体の外部へと伝播する騒音についても遮断して、観測者又は居住住民に対して与える騒音を一層低減させた移動車両用防音装置を提供する。【解決手段】移動車両の屋根３上に立設される集電装置のような機器とその周辺では、当該車両の走行に起因して騒音が生じる。屋根３上には遮音体１Ｌ，２Ｌ，１Ｒ，２Ｒが立設されており、直進する騒音を遮断する。騒音は遮音体１Ｌ，２Ｌ，１Ｒ，２Ｒで回折又は反射し、更に車両外部へと伝播していこうとするが、遮音体２Ｌに設けた枝分かれする羽根状の遮音体１ＬＢ、又は遮音体２Ｒに設けた枝分かれする遮音体１ＲＢ１，１ＲＢ２は、回折又は反射した騒音に作用して遮音機能を奏するので、車体の外側へ伝播するのを抑制し、かかる騒音を低減した移動車両用防音装置を提供することができる。【選択図】図１
2012249493.tif 000002
【特許請求の範囲】
【請求項１】
車体の屋根に設置された機器に対して車体幅方向両側に対向して前記屋根に立設された遮音体を備える移動車両用遮音装置において、
前記機器とその周辺で生じた騒音が前記遮音体で回折又は反射した騒音に作用して車体の外側へ伝播するのを抑制することを特徴とする移動車両用遮音装置。
【請求項２】
請求項１に記載の移動車両用遮音装置において、
前記回折又は反射した騒音が伝播するのを抑制するため、前記遮音体に車体幅方向の外側と内側との少なくとも一方又両方に向かって枝分かれした遮音体が設けられていることを特徴とする移動車両用遮音装置。
【請求項３】
請求項２に記載の移動車両用遮音装置において、
前記屋根に立設された遮音体は、車体長手方向に背の高い山形の遮音体と背の低い山形の遮音体とに分割されていること
を特徴とする移動車両用遮音装置。
【請求項４】
請求項３に記載の移動車両用遮音装置において、
前記車体幅方向外側に向かって枝分かれした前記遮音体は、前記背の低い遮音体に設けられており、且つ車体長手方向に、前記背の高い遮音体の一部又は全部に対応する位置にまで跨がって延びていること
を特徴とする移動車両用遮音装置。
【請求項５】
請求項２〜４のいずれか一項に記載の移動車両用遮音装置において、
前記屋根に立設された遮音体は車体長手方向に山形の形状を有する壁体であり、前記枝分かれした遮音体は、斜め上方に向かって傾斜した羽根状の遮音体であること
を特徴とする移動車両用遮音装置。
【請求項６】
請求項１に記載の移動車両用遮音装置において、
前記回折又は反射した騒音が伝播するのを抑制するため、前記屋根に立設された遮音体の車体幅方向の内側又は外側の少なくとも一方又は両方に副遮音体が配設されており、
前記副遮音体は、前記車体幅方向から投影したときに、前記副遮音体の一部が前記屋根に立設された遮音体の一部に重なるように設置されていること
を特徴とする移動車両用遮音装置。
【請求項７】
請求項６に記載の移動車両用遮音装置において、
前記屋根に立設された遮音体は、車体長手方向に背の高い山形の遮音体と背の低い山形の遮音体とに分割されており、
前記副遮音体は、前記背の低い山形の遮音体の車体幅方向の内側に配置されており、且つ前記背の低い山形の遮音体よりも背が高い山形の形状を有すること
を特徴とする移動車両用遮音装置。
【請求項８】
請求項７に記載の移動車両用遮音装置において、
前記副遮音体は、前記車体幅方向に見て、前記背の高い山形の遮音体とは、前記山形の裾の部分で重なっていること
を特徴とする移動車両用遮音装置。
【請求項９】
請求項６に記載の移動車両用遮音装置において、
前記屋根に立設された遮音体は、車体長手方向に背の高い山形の遮音体と背の低い山形の遮音体とに分割されており、
前記副遮音体は、前記背の低い山形の遮音体の車体幅方向の外側に配置されており、且つ前記背の低い山形の遮音体よりと同等又は背が低い山形の形状を有すること
を特徴とする移動車両用遮音装置。
【請求項１０】
請求項９に記載の移動車両用遮音装置において、
前記副遮音体は、車体長手方向に、前記背の高い遮音体の一部又は全部に対向する位置にまで跨がって延びていること
を特徴とする移動車両用遮音装置。
【請求項１１】
請求項１〜１０のいずれか一項に記載の移動車両用遮音装置において、
前記枝分かれした前記遮音体又は前記副遮音体は、車体の外形に求められる車両限界及び集電装置の高電圧部からの絶縁離隔を確保していること
を特徴とする移動車両用遮音装置。
【発明の詳細な説明】
【技術分野】
【０００１】
本発明は、鉄道車両のような移動車両用の遮音装置に係り、特に、高速鉄道車両の屋根上に設置された集電装置から発生する騒音を遮蔽する移動車両用遮音装置に関する。
【背景技術】
【０００２】
従来、鉄道車両、特に高速で走行する鉄道車両においては、鉄道の高速化に伴い屋根上に設置された機器、特に、集電装置とその周辺から生じる騒音が増加することが懸念されており、この騒音を遮蔽するために、屋根には、屋根上の機器に対して車体の幅方向に隔置され且つ車体長手方向に沿って所定の長さを有する遮音体が設けられている。
【０００３】
一方、ミニ新幹線のように、在来線区間も走行する新幹線においては、車両限界範囲が狭いので、車体幅や車体高さに関する制限が新幹線区間に比べて厳しく、屋根上に設置された機器から発生する騒音を遮音( 遮蔽) するための装置の小型化も望まれている。
【０００４】
移動車両の車体の屋根上に設置される集電装置等の機器に基づく騒音の低騒音化や遮音を図るために、集電装置の周りを防風カバーで覆い、この防風カバーの外側に遮音用の遮音壁を設けることが既に提案されており、更にまた、例えば特許文献１に記載のような、遮音装置が既に提案されている。即ち、構成が簡単で遮音効果が高く、在来線区間の車両限界範囲内に収まり、遮音板と集電装置との間に絶縁離隔を十分に確保することができる移動車両用遮音装置が提案されている。この遮音手段は、屋根上の機器に対して車体の幅方向に、車体長手方向に沿って所定の長さで山形に立設された第１、第２の遮音体とで構成し、第１の遮音体を第２の遮音体に対して移動車両の進行方向に対して後方に位置させる構造が記載されている。
【０００５】
更に、道路や鉄道、工場等の側壁として用いられる防音壁として、下方から上方に向かう騒音のみならず上方から下方に向かう騒音に対しても防音効果を十分に発揮する防音壁が提案されている（特許文献２）。特許文献２に示された防音壁は、上方に延びる本体壁の上端に音源側へ傾斜する第１の分岐壁を設けるとともに、音源側とは反対の側へ傾斜する第２の分岐壁を設け、これら第１及び第２の分岐壁の少なくとも一方の分岐壁には、この分岐壁とは異なる方向に再分岐する再分岐壁を設ける構造が記載されている。
【０００６】
しかしながら、特許文献２に記載の防音壁は地上のような固定した場所に設置される防音壁であり、本発明のように、高速で移動する鉄道車両に設置することを想定していない。そのため、そのまま鉄道車両に適用するだけでは防音壁を車両限界内に納まるように設置することは難しい。また、鉄道車両の集電装置から発生する騒音に対しての防音を手段を考えた場合、集電装置の高電圧部分に対する絶縁離隔（即ち、この離隔の範囲内では絶縁のため、物を置いてはいけない）を設定する必要が生じ、特許文献２に記載の方法ではこれを満足することは難しい。
【０００７】
鉄道車両では、主な騒音減として屋根上に設置される集電装置が挙げられる。この集電装置から発生する騒音を効率的に遮蔽するために開発されたのが特許文献１に記載の移動車両用遮音装置である。この移動車両用遮音装置では、騒音減の流れ方向下流側に現れる主な騒音減を、騒音の観測者（または居住住民）に対して、音の直進性を考慮して遮蔽するように設置されている。しかしながら、音は直進性を有するとともに、反射または回折する性質を有している。移動車両の集電装置から発した騒音に対しても、一部の騒音は、反射または回折をしながら、前記遮音壁に対して回りこむような形で騒音の観測者（または居住住民）に到達することになる。
【先行技術文献】
【特許文献】
【０００８】
【特許文献１】特開２００９−１７９１９１号公報
【特許文献２】特開平０８−０８５９２１号公報
【発明の概要】
【発明が解決しようとする課題】
【０００９】
そこで、移動車両においては、車体に立設された遮音体に反射又は回折して車体の外部へと伝播する騒音についても遮断して、騒音の観測者（または居住住民）に対する騒音を一層低減させる点で解決すべき課題がある。
本発明の目的は、車体に立設された遮音体に反射又は回折して車体の外部へと伝播する騒音についても遮断して、在来線区間の車両限界範囲内に収まり、かつ、集電装置との間に十分な絶縁離隔を確保し、観測者（または居住住民）に対して与える騒音を一層低減させた移動車両用防音装置を提供することである。
【課題を解決するための手段】
【００１０】
本発明は、上記課題を解決するため、車体の屋根に設置された機器に対して車体幅方向両側に対向して前記屋根に立設された遮音体を備える移動車両用遮音装置において、
前記機器とその周辺で生じた騒音が前記遮音体で回折又は反射した騒音に作用して車体の外側へ伝播するのを抑制することを特徴としている。
【００１１】
本発明によれば、移動車両が走行するとき、屋根上の機器とその周辺で当該走行に起因して生じた騒音が、屋根上に立設された遮音体で回折又は反射し、更に車両外部へと伝播していくが、遮音体で回折又は反射した騒音に作用して車体の外側へ伝播するのを抑制しているので、かかる騒音を低減することができる。
遮音体で回折又は反射した騒音に作用する手段としては一例を挙げるならば、屋根上の機器の車体幅方向両側に立設される主たる遮音体に対して、車体の長手方向からの投影で見た場合に枝分かれした遮音体とすることができる。また、主となる遮音体に対して副遮音体を設け、主となる遮音体と副遮音体との投影面が一部重なるようにすることができる。更に、主となる遮音体に対して、車体幅方向にオフセットした位置に副遮音体を設け、車体幅方向に投影したとき、投影面が一部重なるようにすることもできる。いずれの場合も、車両に求められる車両限界及び集電装置高電圧部からの絶縁離隔を確保することが求められる。
【発明の効果】
【００１２】
本発明による移動車両用遮音装置によれば、屋根に立設された遮音体から枝分かれした遮音体は、直接音のみならず、枝分かれした遮音体が無いとしたときに既存の遮音体による音の反射又は回折によって観測者（又は居住住民）に到達する騒音を低減させている。しかしながら、枝分かれした遮音体自体も車両走行時に騒音を発生させる可能性があることから、枝分かれした遮音体を主たる遮音体に対して、その面積のすべてを重ねて設置するよりも、一部面積を重ねるように設置する方が全体的に見て騒音の低減には効果的である。このような効果から、車両が移動中に発生させる騒音を低減させる効果を得ることができる。
【００１３】
また、鉄道車両の場合、車両が走行するとともに、音源も移動している。このため、騒音の観測者（または居住住民）と騒音源の相対位置が常に変化している。本発明のような遮音体の構成にすると、遮音体同士が重なっている領域があるため、音源が移動した場合についても遮音性が得られるという効果もある。
【図面の簡単な説明】
【００１４】
【図１】移動車両用遮音装置の第１の実施形態を示す集電装置部の斜視図である。
【図２】図１に示す集電装置部の正面図である。
【図３】図１に示す集電装置部の左側面図である。
【図４】図１に示す集電装置部の右側面図である。
【図５】移動車両用遮音装置の第２の実施形態を示す集電装置部の斜視図である。
【図６】図２に示す集電装置部の正面図である。
【図７】図２に示す集電装置部の左側面図である。
【図８】図２に示す集電装置部の右側面図である。
【図９】移動車両用遮音装置の第３の実施形態を示す集電装置部の斜視図である。
【図１０】図９に示す集電装置部の正面図である。
【図１１】図９に示す集電装置部の左側面図である。
【図１２】図９に示す集電装置部の右側面図である。
【発明を実施するための形態】
【００１５】
以下、本発明による移動車両用遮音装置の実施例を図面を用いて説明する。
【実施例１】
【００１６】
図１〜図４は、本発明による移動車両用遮音装置の第１の実施形態を示す図であって、それぞれ斜視図、正面図、左側面図及び右側面図である。軌道上を走行する鉄道車両のような移動車両は複数の車両を連結して編成をなしており、複数の車両のうち特定の車両の屋根３上に屋根上設置機器の一つである集電装置を設置している。図１〜図４に示すように、移動車両の屋根３上には集電装置が設置される。集電装置は、主に車両の屋根３に固定した碍子６、碍子６に支持された台枠４、架線に接触して架線から集電を行う集電用舟体５、当該集電用舟体５を先端で軸支するアーム７、及びヒンジ８ａ，８ｂから構成されている。アーム７は、台枠４に対して車体幅方向と平行な回動軸線を持つヒンジ８ａによって軸支されており、ヒンジ８ａとアーム７の中間関節部に設けられたヒンジ８ｂとの関節機能によって、下方へ折り畳んで集電用舟体５を非作動位置に納めることができ、又は上方へ跳ね上げて集電位置を取ることができる。
【００１７】
碍子６は車体幅方向の中心位置から片方に向かって所定の距離オフセットした位置にあるが、それに対応して集電用舟体５の左右中心位置並びにアーム７及びヒンジ８ａ，８ｂの配設位置は車体幅方向のほぼ中心位置にある。なお、集電装置の集電用舟体５は、同じ編成列車の別の集電装置に対して電気的に接続されている。したがって、集電用舟体５を非作動位置に納めた状態でも、当該別の集電装置が集電していれば、集電用舟体５は当該別の集電装置の集電用舟体と同じ電位に帯電している。
【００１８】
車両の屋根３上には、集電装置を車体幅方向に挟んで対向する位置に遮音体が設置される。遮音体は、集電装置の車両進行方向左側においては、主となる遮音体１Ｌ及びこれより背の低い遮音体２Ｌから構成されている。遮音体１Ｌ及び遮音体２Ｌは車体幅方向の同じ位置に配置されており、車体長手方向に連続した壁体が分割されて配置されている。一方、集電装置の車両進行方向右側においては、遮音体は、背の高い主となる遮音体１Ｒと背の低い遮音体２Ｒとから構成されている。遮音体１Ｒ及び遮音体２Ｒは車体幅方向の同じ位置に配置されており、車体長手方向に連続した壁体が分割されて配置されている。
【００１９】
車両進行方向の一方の碍子６に対向する部分に遮音体１Ｌが設けられ、また、別の碍子６に対向する部分に遮音体１Ｒが設けられている。これら遮音体１Ｌ及び遮音体１Ｒは、車両進行方向に沿って山形に形成された壁体であり、その頂上部までの高さは、ほぼ碍子６の高さ寸法と同等の高さとなっている。そして、車体長手方向の並びは遮音体１Ｌ及び遮音体２Ｌと逆になっており、遮音体１Ｌと遮音体１Ｒとは、側面から見て、車両進行方向に重複しない、云い代えれば車両進行方向に実質的に重なることなく設置されている。側面から見るとき、遮音体１Ｌは遮音体２Ｒと対向し、遮音体１Ｒは遮音体２Ｌと対向して配置されている。
【００２０】
上記構成の遮音装置を設置した車両が走行すると、走行風により、屋根上機器の一つである集電装置の舟体５、碍子６、アーム７などから騒音が発生するが、本遮音体の構成によってこれら騒音の遮音が図られている。即ち、車両が移動することによって集電装置の騒音源が車両進行方向に対して相対的に後方へ移動するが、遮音体１Ｌと遮音体１Ｒの互い違いの設置により、例えば左側に設置した遮音体１Ｌが右側に設置した遮音体１Ｒに対して車両進行方向の後方へ変位しているので、集電用舟体５，集電装置碍子６，集電装置アーム７からの騒音を、車両進行方向に対して左側にいる騒音の観測者（あるいは居住地域）に対して効率良く遮音することができる。また、ほぼ碍子６の高さ程度の高さの山形の遮音体１Ｌと遮音体１Ｒを互い違いに設置したことにより、アーム７が折り畳まれて非集電位置を占める集電用舟体５に対して遮音体１Ｌと遮音体１Ｒは山形の裾近傍が対向することになるので、切欠きを設けることなく十分に絶縁距離を確保することができる。また、同程度の高さの遮音体１Ｌと遮音体１Ｒを互い違いに設置することで、遮音体１Ｌと遮音体１Ｒ間での流速の増加が起こらず、集電装置からの空力騒音の増加を防ぐことができると共に、遮音体１Ｌと遮音体１Ｒを在来線の車両限界範囲内に納めることができ、更に、走行風に曝される部分が相対的に小さくなり、遮音体１Ｌと遮音体１Ｒから発生する空力騒音を小さく抑えることができる。以上より本実施の形態によれば、構成が単純な遮音体１Ｌと遮音体１Ｒの設置により、遮音効果を高めることができると共に、在来線区間の車両限界範囲内における最大高さの遮音体を用いても絶縁距離を確保することができ、かつ遮音効果を得ることができる。
【００２１】
図１〜図２に特に示すように、車体幅方向一側（左側）において屋根３上に設けられた背の低い遮音体２Ｌは、車両の幅方向外側に枝分かれした遮音体１ＬＢを備えている。
このときの遮音体の配置関係については、図２に示すように、立設された遮音体１Ｌ，２Ｌ（図中では位置関係から図示されず）と、遮音体２Ｌから車体両幅方向外側に枝分かれした遮音体１ＬＢとの配置となっている。また、車体幅方向他側（右側）において屋根３上に設けられた背の低い遮音体２Ｒは、車体幅方向外側に枝分かれした遮音体１ＲＢ１及び幅方向内側に枝分かれした遮音体１ＲＢ２を備えている。このときの遮音体の配置関係については、図２に示すように、立設する遮音体１Ｒ及び遮音体２Ｒと、遮音体２Ｒから枝分かれした遮音体１ＲＢ１及び遮音体１ＲＢ２との配置となっている。
【００２２】
図３には本構成を左から見た図を示す。集電装置の左側に設置される遮音体は、背の高い遮音体１Ｌ及び背の低い遮音体２Ｌ、並びに遮音体２Ｌから枝分かれした遮音体１ＬＢから構成されている。立設した遮音体１Ｌ及び遮音体２Ｌに対して枝分かれ遮音体１ＬＢは側方から見てその一部が重なるように配置されている。
【００２３】
図４には本構成を右から見た図を示す。集電装置右側に設置される遮音体は、背の高い遮音体１Ｒ及び背の低い遮音体２Ｒ、並びに遮音体２Ｒから外側に枝分かれした遮音体１ＲＢ１及び内側に枝分かれした遮音体１ＲＢ２から構成される。枝分かれした遮音体１ＲＢ１及び遮音体１ＲＢ２は、それぞれ立設した遮音体１Ｒ及び遮音体２Ｒに対して、側方から見て一部の面積が重なるように配置されている。
【００２４】
枝分かれした遮音体１ＬＢ、１ＲＢ１及び遮音体１ＲＢ２は、それぞれ遮音体２Ｌ、遮音体２Ｒの上辺から斜め上方に向かって延びている。また、図１及び図３に示すように、遮音体２Ｌから枝分かれした遮音体１ＬＢは、遮音体１Ｌの長手方向中程の位置にまでに跨がって車体長手方向に延びている。また、図１及び図４に示すように、遮音体２Ｒから枝分かれした遮音体１ＲＢ１は、遮音体１Ｒの長手方向中程の位置にまで跨がって車体長手方向に延びている。主遮音体と、枝分かれした遮音体を持つ遮音体により、集電装置とその周辺から発生した空力騒音は、その直接音を遮るとともに、反射音や回折音についても、屋根３の上から車体外側に伝播するのを効果的に妨げて、遮音を向上させることができる。
【００２５】
枝分かれした遮音体１ＬＢ、遮音体１ＲＢ１及び遮音体１ＲＢ２は在来線区間における車両限界及び集電装置の絶縁離隔に干渉しない位置に配置される。集電装置が車両中心に対して図２に示すような左寄りに設置されるため、左側の遮音体では集電装置の絶縁離隔の関係から、遮音体２Ｒに内側に枝分かれする遮音体を設けることはできないこともあるが、車両限界及び集電装置の絶縁離隔の観点から余裕があれば内側に設けてもよく、車体幅方向両側に設けてもよい。また、右側の遮音体から枝分かれする遮音体１ＲＢ１又は１ＲＢ２についても、どちらか片方だけでも効果が認められる。なお、実測結果からすると、車体幅方向外側に設けるときの遮音効果が大きいことが認められる。更に、枝分かれする遮音体については、背の低い遮音体に設け、背の高い遮音体に途中まで延びる例を示したが、背の高い遮音体の全長まで延ばしても良い。
【００２６】
本実施例は、このような構成とすることで、構成が簡単で遮音効果が高く、在来線区間の車両限界範囲内に収まり、遮音体と集電装置との間に絶縁離隔を十分に確保することができる。また、遮音体（遮音壁) のみを設置することで、車体断面積を増加させることなく、集電装置やその他の屋根上に設置される機器の騒音の遮音効果を得ることができる。また、在来線区間での車両限界範囲を考慮して、遮音体の高さは従来の遮音体に比べて低く設定されている。また、遮音体と集電装置のホーンや碍子との間での地絡を防止するために、遮音体と集電装置と間にも絶縁離隔が確保されている。更に、枝分かれした遮音体によって、直接音のみならず、対向する遮音体からの反射音や遮音体を回り込む回折音についても車両外側へ伝播するのを抑制することができる。
【実施例２】
【００２７】
本発明の実施例２を図５〜図８を用いて説明する。図５〜図８は、本発明による移動車両用遮音装置の実施例２を示す図であって、それぞれ斜視図、正面図、左側面図及び右側面図である。実施例２は、実施例１と同等の機能を奏する部材については同じ符号を付すことで再度の詳細な説明を省略する。本実施例２においても、移動車両の屋根３には、設置された集電装置を挟んで対向する形で遮音体が設置される。車体幅方向一側（左側）においては、屋根３上に主となる遮音体１Ｌ及びこれより背の低い遮音体２Ｌが実施例１と同様の形態で配設されるが、遮音体２Ｌには枝分かれする遮音体が設けられていない。一方、車体幅方向他側（右側）においては、屋根３上に主となる遮音体１Ｒ及びこれより背の低い遮音体２Ｒが実施例１と同様の形態で配設されるが、遮音体２Ｒには枝分かれする遮音体が設けられていない。
【００２８】
図６には本実施例の正面図を示す。図６にも示されているように、遮音体は集電装置を挟んで車体幅方向両側に設置される。本実施例では、車体幅方向他側（右側）において、遮音体１Ｒ及び遮音体２Ｒ（図６には図示されず）と集電装置との間に副遮音体９が配設されている。副遮音体９は、遮音体１Ｒの高さよりも低いが遮音体２Ｒの高さよりも高いほぼ碍子６の高さを有していて、全体的な形状としては遮音体１Ｒと同様な山形形状を有している。遮音体１Ｒ及び遮音体２Ｒの後流の影響を受ける位置に副遮音体９を設置すると、空力騒音が発生するため、副遮音体９は、遮音体２Ｒの車体幅方向内側の位置に、遮音体２Ｒと平行ではあるが、遮音体１Ｒ及び遮音体２Ｒの車体幅方向厚さに対して２倍程度の間隔（ΔＬ１）を保って設置されている。本実施例の構成では、集電装置が車両中心に対して左側にオフセットして設置されているため、副遮音体９の設置位置は集電装置の高電圧部に対して絶縁離隔を確保した位置となっている。一方、集電装置と遮音体１Ｌ及び遮音体２Ｌの間では、アーム７を折り畳んだ状態で集電用舟体５との絶縁離隔の関係から、副遮音体を設置することはできない。
【００２９】
図７には本構成を左から見た図を、図８には本構成を右から見た図を示す。特に図８に示すように、副遮音体９は、右側の遮音体１Ｒ及び遮音体２Ｒに対してずれた位置に配置され、このとき側方からみて遮音体１Ｒ及び遮音体２Ｒに対して副遮音体９はその一部面積が重なるように配置される。遮音体１Ｒと副遮音体９とが車体長手方向に重なる範囲がΔＬ２で示されている。この範囲ΔＬ２は、遮音体１Ｒと副遮音体９との山形状の裾部分での重なりであるので、高さは低くなっており、アーム７を折り畳んだときの集電用舟体５に対して絶縁離隔を確保することができる。
【実施例３】
【００３０】
本発明の実施例３を図９〜図１２を用いて説明する。図９〜図１２は、本発明による移動車両用遮音装置の実施例３を示す図であって、それぞれ斜視図、正面図、左側面図及び右側面図である。実施例３は、実施例１と同等の機能を奏する部材については同じ符号を付すことで再度の詳細な説明を省略する。本実施例３においても、移動車両の屋根３には、設置された集電装置を挟んで対向する形で遮音体が設置される。本実施例３においては、図９に示すように、左側の遮音体１Ｌ及び遮音体２Ｌの車体幅方向外側に副遮音体１０Ｌが配設されており、右側の遮音体１Ｒ及び遮音体２Ｒの車体幅方向外側に副遮音体１０Ｒが配設されている。
【００３１】
図１０には本構成の正面図を示す。図１０にも示すように、遮音体１Ｒ，２Ｒ及び遮音体１Ｌ，２Ｌは集電装置を挟んで車体幅方向両側に設置される。本実施例では、集電装置の右側に設置される遮音体１Ｒ及び遮音体２Ｒの車体幅方向外側に副遮音体１０Ｒが、一方、集電装置の左側に設置される遮音体１Ｌ及び遮音体２Ｌの外側に副遮音体１０Ｌが設置される。副遮音体１０Ｌ，１０Ｒの高さレベルは、それぞれ、遮音体２Ｌや遮音体２Ｒの高さと同程度の高さレベルにあり、全体的な形状としては車体長手方向の両端が遮音体２Ｌや遮音体２Ｒの端部と同様な形状を有する低い山形形状を有している。実施例２の場合と同様に、遮音体と副遮音体の間隔が小さい場合には空力騒音が発生する可能性があるため、副遮音体１０Ｌ，１０Ｒは、遮音体２Ｌ，２Ｒの車体幅方向外側の位置に、遮音体２Ｌ，２Ｒと平行ではあるが、遮音体１Ｒ及び遮音体２Ｒの車体幅方向厚さに対しておおむね２倍程度の間隔を保って設置されている。副遮音体１０Ｌ，１０Ｒは、車体長手方向には、遮音体１Ｌ及び遮音体２Ｌの中程の位置に対応する位置まで、車体長手方向に延びている。副遮音体１０Ｌ，１０Ｒの設置位置は、遮音体１Ｌ，２Ｌ及び遮音体１Ｒ，２Ｒの車体幅方向外側に配設されているので、在来線区間での車両限界範囲内に納まるような形状に制限されているが、集電装置の高電圧部に対しては自ずと絶縁離隔を確保された位置となっている。
【００３２】
図１１には本構成を左から見た図を、図１２には本構成を右から見た図を示す。特に，図１１に示すように、副遮音体１０Ｌは、左側の遮音体１Ｌ及び遮音体２Ｌに対して、側方から見ると概ね、遮音体１Ｌ及び遮音体２Ｌが遮蔽する範囲内に入っているが、図１２に示すように、副遮音体１０Ｒは、右側の遮音体１Ｒ及び遮音体２Ｒに対しては、高さレベルが遮音体２Ｒのレベルよりも若干高くなっており、このとき側方からみて遮音体１Ｒ及び遮音体２Ｒが重なり合う裾部（実施例２の図８に示す範囲ΔＬ２）の上方の開いたスペースを覆うように配置される。副遮音体１０Ｒは、このスペースを通しての騒音漏れを防止するのに貢献する。副遮音体１０Ｒは右側の遮音体１Ｒ及び遮音体２Ｒの車体幅方向外側に配置されているので、集電装置のアーム７を折り畳んだときの集電用舟体５に対して絶縁離隔を確保することができる。
【００３３】
本発明は移動車両として、鉄道車両を例に採って説明したが、これに限ることなく、高速で走行して、集電装置等の屋根に設けた機器から騒音を出す車両に適用することができる。また、副遮音体９と副遮音体１０Ｌ，１０Ｒとについては区別して説明したが、スペース等の各制約が満たされるのであれば、両方の副遮音体を備えていてもよい。
【符号の説明】
【００３４】
１Ｌ，１Ｒ  遮音体
１ＬＢ，１ＲＢ１，１ＲＢ２  枝分かれした遮音体
２Ｌ，２Ｒ  遮音体
３  屋根                    ４  台枠
５  集電用舟体              ６  碍子
７  アーム                  ８ａ，８ｂ  ヒンジ
９，１０Ｌ，１０Ｒ  副遮音体
ΔＬ２  重なり範囲
【図１】
2012249493.tif 000003
【図２】
2012249493.tif 000004
【図３】
2012249493.tif 000005
【図４】
2012249493.tif 000006
【図５】
2012249493.tif 000007
【図６】
2012249493.tif 000008
【図７】
2012249493.tif 000009
【図８】
2012249493.tif 000010
【図９】
2012249493.tif 000011
【図１０】
2012249493.tif 000012
【図１１】
2012249493.tif 000013
【図１２】
2012249493.tif 000014